(57)【要約】【課題】色素沈着抑制効果や美白効果等の美容効果を向上させることが可能な美容用の液剤浸透装置及び方法を提供する。【解決手段】本発明は、美容効果を高めるためのイオン性液剤を人体の皮膚組織に浸透させるための美容用の液剤浸透装置であって、前記液剤が塗布され、皮膚表面に付着される電極と、１００ｋＨｚから１０００ｋＨｚの間の何れかの周波数で、且つ３０〜５０％の間の何れかのデューティ比であるパルス電圧を生成し、当該パルス電圧を前記電極に印加するパルス電圧印加手段と、を備える。【選択図】図１
2007319474.tif 000002
【特許請求の範囲】
【請求項１】
美容効果を高めるためのイオン性液剤を人体の皮膚組織に浸透させるための美容用の液剤浸透装置であって、
前記液剤が塗布され、皮膚表面に付着される電極と、
１００ｋＨｚから１０００ｋＨｚの間の何れかの周波数で、且つ３０〜５０％の間の何れかのデューティ比であるパルス電圧を生成し、当該パルス電圧を前記電極に印加するパルス電圧印加手段と、
を備えることを特徴とする美容用の液剤浸透装置。
【請求項２】
請求項１に記載の美容用の液剤浸透装置であって、
前記液剤はマイナスイオン性であり、
前記パルス電圧は、負極性であることを特徴とする美容用の液剤浸透装置。
【請求項３】
請求項１又は２に記載の美容用の液剤浸透装置であって、
前記電極は、顔の表面全体をほぼ覆う電極パットからなることを特徴とする美容用の液剤浸透装置。
【請求項４】
請求項１乃至３の何れか一項に記載の美容用の液剤浸透装置であって、
前記液剤は、アスコルビン酸及びその誘導体、アルブチン、エラグ酸、ルシノール、及びα−ヒドロキシ酸の何れか一つであることを特徴とする美容用の液剤浸透装置。
【請求項５】
美容効果を高めるためのイオン性液剤を人体の皮膚組織に浸透させるための美容用の液剤浸透方法であって、
１００ｋＨｚから１０００ｋＨｚの間の何れかの周波数で、且つ３０〜５０％の間の何れかのデューティ比であるパルス電圧を生成し、当該パルス電圧を、前記液剤が塗布され、皮膚表面に付着された電極に印加することを特徴とする美容用の液剤浸透方法。
【発明の詳細な説明】
【技術分野】
【０００１】
本発明は、美容効果を高めるための液剤を人体の皮膚組織に浸透させるための技術に関する。
【背景技術】
【０００２】
シミ、ソバカス、色黒等の色素沈着症は、皮膚にメラニン色素が過剰に沈着した疾患である。
【０００３】
このような色素沈着の度合いを軽減するために、従来から様々な方法が提案されている。
【０００４】
例えば、特許文献１には、ヒトの皮膚で色素の沈着した部位に金属酸化物を塗布し、前記の金属酸化物を塗布した部分に特定波長の光線を照射することにより色素を除去あるいは色素沈着の度合いを軽減することにより美容に寄与するようにした美容方法が開示されている。
【特許文献１】特開2004-277347号公報
【発明の開示】
【発明が解決しようとする課題】
【０００５】
このように色素沈着の抑制を図る方法が種々提案されているが、今まで以上に色素沈着抑制効果や美白効果が高く、美容効果に優れた方法が望まれている。
【０００６】
そこで、本発明は、色素沈着抑制効果や美白効果等の美容効果を向上させることが可能な美容用の液剤浸透装置及び方法を提供することを課題とする。
【課題を解決するための手段】
【０００７】
上記課題を解決するために、請求項１に記載の発明は、美容効果を高めるためのイオン性液剤を人体の皮膚組織に浸透させるための美容用の液剤浸透装置であって、前記液剤が塗布され、皮膚表面に付着される電極と、１００ｋＨｚから１０００ｋＨｚの間の何れかの周波数で、且つ３０〜５０％の間の何れかのデューティ比であるパルス電圧を生成し、当該パルス電圧を前記電極に印加するパルス電圧印加手段と、を備えることを特徴とする。
【０００８】
請求項２に記載の発明は、請求項１に記載の美容用の液剤浸透装置であって、前記液剤はマイナスイオン性であり、前記パルス電圧は、負極性であることを特徴とする。
【０００９】
請求項３に記載の発明は、請求項１又は２に記載の美容用の液剤浸透装置であって、前記電極は、顔の表面全体をほぼ覆う電極パットからなることを特徴とする。
【００１０】
請求項４に記載の発明は、請求項１乃至３の何れか一項に記載の美容用の液剤浸透装置であって、前記液剤は、アスコルビン酸及びその誘導体、アルブチン、エラグ酸、ルシノール、及びα−ヒドロキシ酸の何れか一つであることを特徴とする。
【００１１】
請求項５に記載の発明は、美容効果を高めるためのイオン性液剤を人体の皮膚組織に浸透させるための美容用の液剤浸透方法であって、１００ｋＨｚから１０００ｋＨｚの間の何れかの周波数で、且つ３０〜５０％の間の何れかのデューティ比であるパルス電圧を生成し、当該パルス電圧を、前記液剤が塗布され、皮膚表面に付着された電極に印加することを特徴とする。
【発明の効果】
【００１２】
本発明によれば、１００ｋＨｚから１０００ｋＨｚの間の何れかの周波数で、且つ３０〜５０％の間の何れかのデューティ比であるパルス電圧を生成し、当該パルス電圧を、前記液剤が塗布され、皮膚表面に付着された電極に印加するようにしたので、色素沈着抑制効果や美白効果等の美容効果を向上させることができる。
【発明を実施するための最良の形態】
【００１３】
以下、図面を参照して本発明の最良の実施形態について詳細に説明する。
【００１４】
先ず、本発明の一実施形態に係る美容用の液剤浸透装置の構成及び機能について、図１等を参照して説明する。
【００１５】
図１は、本実施形態に係る美容用の液剤浸透装置の概要構成例を示す図である。
【００１６】
この美容用の液剤浸透装置１は、美容効果を高めるためのイオン性液剤を人体の皮膚組織に浸透させるためのものであり、その原理は、皮膚表面に外部から電圧を印加し、微小な電流を流してイオン性液剤（イオン化した液剤）を能動的に体内に浸透（吸収）させるイオントフォレーシスに基づくものである。
【００１７】
美容用の液剤浸透装置１は、図１に示すように、単相交流１００Ｖ（ボルト）の電源供給を受け直流電圧に変換して出力する電源部１０、基準電圧を発生し出力する基準電圧発生部１１、電圧制御部１２、発振回路部１３、パルス電圧印加手段としての出力回路部１４、タイマー回路部１５、正電極１６、負電極１７、電流検出回路部１８、電圧変換回路部１９、表示部２０、及び操作部２１等を備えて構成されている。
【００１８】
電圧制御部１２は、電源部１０からの直流電圧と、基準電圧発生部１１からの基準電圧を受け、操作部２１にて設定された大きさ（例えば０〜２０Ｖの間の電圧値）の例えば負（マイナス）極性の直流電圧を生成し、出力回路部１４に出力するようになっている。
【００１９】
発振回路部１３は、操作部２１にて設定された周波数（例えば、１００ｋＨｚから１０００ｋＨｚ（望ましくは、１００ｋＨｚから５００ｋＨｚ：この範囲の周波数では短時間で美容効果が現れ、利用者を長い時間拘束することがない）の間の周波数）で、且つ操作部２１にて設定されたデューティ比（例えば、０〜５０％の間のデューティ比）のパルス信号を生成して出力回路部１４に出力するようになっている。
【００２０】
出力回路部１４は、電圧制御部１２からの直流電圧と、発振回路部１３からのパルス信号を受け、パルス信号の周波数及びデューティ比のパルス電圧（例えば、負極性）を生成出力し負電極１７に印加するようになっている。
【００２１】
図２は、出力回路部１４から出力される好適なパルス電圧波形の一例を示す図である。図２に示すパルス電圧は、周波数が３００ｋＨｚ、デューティ比が３０％、電圧値が−１０Ｖとなっている。
【００２２】
ここで、正電極１６は、例えば人の手で握られるほどの大きさの金属部材からなり、負電極１７は、顔の表面全体をほぼ覆うように当該顔の皮膚表面に付着する電極パットからなる。また、電極パットの材料としては、例えば銀又は塩化銀等が望ましく、これによりイオンの浸透が安定して行われる。また、負電極１７の電極パットが顔に付着される際には、当該電極パットの、顔に付着される側の面にイオン性液剤が塗布される。
【００２３】
ここで、塗布されるイオン性液剤としては、例えば、アスコルビン酸及びその誘導体（例えば、アスコルビン酸リン酸エステルマグネシウム塩）、アルブチン、エラグ酸、ルシノール、又はα−ヒドロキシ酸等のマイナスイオン性の液剤が望ましい。
【００２４】
タイマー回路部１５は、出力回路部１４によりパルス電圧の印加時間を決定するためのものであり、操作部２１にて設定された設定時間（例えば、０〜９９分の間の時間）が経過すると、負電極１７へのパルス電圧の印加を停止（つまり、タイマー回路部１５にてバイパスする）するようになっている。
【００２５】
電流検出回路部１８は、負電極１７→人体→正電極１６を流れる電流（例えば、０〜１．２ｍＡ（ミリアンペア）程度）を検出し、電圧変換回路部１９は、検出された電流を電圧に変換して、表示部２０等に出力するようになっている。これにより、当該電流値を表示部２０において見ることができる。
【００２６】
また、電圧変換回路部１９は、変換された電圧値を、電圧制御部１２にも出力（フィードバック）するようになっている。これにより、電圧制御部１２は、電圧変換回路部１９からの電圧値に基づき、生成する直流電圧値を調整する。一般に、皮膚や組織のインピーダンスや誘電率は、皮膚の状態によって大きく異なることが予想され、例えば、皮膚の水分量に影響されたり、年齢や性別によっても変化する。そこで、電流検出回路部１８にて電流を検出することにより、皮膚インピーダンスや誘電率を等価的に測定し、その電流値に応じた電圧値を電圧制御部１２にフィードバックすることによって生成すべき電圧を最適値に調整するようにしたものである。
【００２７】
操作部２１は、発振回路部１３において生成されるパルス信号の周波数及びデューティ比を設定するための操作ボタン、電圧制御部１２において生成される直流電圧の大きさ（電圧値）及び極性を設定するための操作ボタン、及びタイマー回路部１５における設定時間を設定するための操作ボタン、更には、パルス電圧を印加するためのスタートボタン等を備えている。
【００２８】
次に、美容用の液剤浸透装置１の実施例について説明する。
美容用の液剤浸透装置１において、操作部２１により各種設定がなされ、美容用の液剤浸透装置１の利用を受ける者（以下、「利用者」という）の手により正電極１６の金属部材が握られ、イオン性液剤（例えば、アスコルビン酸及びその誘導体、アルブチン、エラグ酸、ルシノール、又はα−ヒドロキシ酸等）が塗布された負電極１７の電極パットが当該利用者の顔の表面全体をほぼ覆うように当該顔の皮膚表面に付着された状態で、操作部２１におけるスタートボタンを押下すると、負電極１７の電極パットに塗布された（顔の皮膚表面に塗布された）イオン性液剤が、負極性の高周波数のパルス電圧（例えば、図２に示すようなパルス電圧）により（パルス電圧が負電極１７を介して皮膚表面に印加される）、高い吸収効率（導入効率）で皮膚組織に浸透（吸収）されることになる。
【００２９】
通常、皮膚の最外層の角質層はイオン性液剤透過のバリアの働きをしており、さらに非常に大きな誘電率を持ち、例えば直流を印加すると、電荷が直ぐに蓄積され次第に電流が流れなくなるため、パルス電圧を利用して電荷の蓄積・放電を繰り返して皮膚に電荷が蓄積されるのを防止することが必要となる。しかし、１００Ｈｚから１０００Ｈｚ程度の低周波数のパルス電圧を選ぶと、電荷の放電が不十分となり、さらに、細胞外液や皮膚表面に沿って電流が流れ、イオン性液剤が皮膚組織に浸透せず、加えて、利用者に対して痛みを与えてしまうという問題がある。
【００３０】
ところが、１００ｋＨｚから１０００ｋＨｚの間の周波数のパルス電圧とすると、誘電率を極小とすることができ、エネルギー損失を最小にして吸収効率を最適にすることができ、加えて、利用者に対して痛みを与えることがない。さらに、例えば、アスコルビン酸及びその誘導体、アルブチン、エラグ酸、ルシノール、又はα−ヒドロキシ酸等の液剤は、マイナスイオンを有するため、負極性の高周波数のパルス電圧による反発力で皮膚組織内に押し込まれ、より高い吸収効率を実現することができる。
【００３１】
以上説明したように、上記実施形態によれば、美容効果を高めるためのイオン性液剤を、より高い吸収効率で皮膚組織に浸透させることができ、したがって、浸透されたイオン性液剤により、色素沈着をより効果的に抑制し、美白効果を高め、したがって、美容効果を向上させることができる。
【００３２】
なお、パルス電圧の周波数を例えば４００ｋＨｚ〜５００ｋＨｚに選んだ場合、デューティ比を４０〜５０％とすることが望ましく、効果的である。
【００３３】
また、上記実施形態において、美容効果を高めるためのイオン性液剤として、アスコルビン酸及びその誘導体等を例にとって説明したが、これ以外にも、様々なイオン性液剤を適用することができる。また、イオン性液剤がプラスイオン性の場合には、正極性のパルス電圧を電極を介して皮膚表面に印加すれば反発力により吸収効率を高めることができる。
【００３４】
また、上記実施形態においては、電極パットを利用者の顔表面に付着するようにしたが、その他の部分、例えば背中、首、肩等であっても構わない。
【図面の簡単な説明】
【００３５】
【図１】本実施形態に係る美容用の液剤浸透装置の概要構成例を示す図である。
【図２】出力回路部１４から出力される好適なパルス電圧波形の一例を示す図である。
【符号の説明】
【００３６】
１  美容用の液剤浸透装置
１０  電源部
１１  基準電圧発生部
１２  電圧制御部
１３  発振回路部
１４  出力回路部
１５  タイマー回路部
１６  正電極
１７  負電極
１８  電流検出回路部
１９  電圧変換回路部
２０  表示部
２１  操作部
【図１】
2007319474.tif 000003
【図２】
2007319474.tif 000004